(57)【特許請求の範囲】
【請求項１】
相互に組み合わされてボックスを形成する上部ケースおよび下部ケースと、前記下部ケースの内部に固定された接点ブロックと、前記上部ケースに貫通状態で固定されて前記接点ブロックに対しスイッチを構成するよう連接する操作ブロックとを備えたボックス型スイッチ装置において、
一部に前記操作ブロックの操作による機能が表示され、且つ他部に所定の径の固定用孔が形成された銘板を備え、
前記上部ケースにおける前記操作ブロックを貫通させる取付孔の孔縁周部に、前記銘板の厚みと略等しい高さで、且つ前記銘板の固定用孔を外周部に嵌め込むことのできる外径を有するリング形状のスペーサ用突部が外方に突設され、
前記操作ブロックにおける前記サペーサ用突部に貫通した固定部とこの固定部よりも大径であって前記上部ケースの外部に露呈される保持部との間の係止面が前記固定部の外周面に嵌めた第１のパッキンを介在して前記スペーサ用突部の先端周面に押し付けられていることを特徴とするボックス型スイッチ装置。
【請求項２】
前記上部ケースの上面に、前記スペーサ用突部の外周面に沿ったリング状の嵌合溝が形成され、この嵌合溝に、溝幅よりも僅かに小さく且つ溝の深さよりも僅かに高い断面形状を有する第２のパッキンが嵌め込まれているとともに、この第２のパッキンが、サペーサ用突部の外周部に嵌め込まれた前記銘板による押圧により変形されて全体が前記嵌合溝の内部に押し込まれていることを特徴とする請求項１記載のボックス型スイッチ装置。
【発明の詳細な説明】
【０００１】
【発明の属する技術分野】
本発明は、取付パネルなどの取付用の部材を介在するこなく所要の箇所に直接取り付けることのできるボックス型スイッチ装置に関するものである。
【０００２】
【従来の技術】
この種の従来のボックス型スイッチ装置は、一般に図４に示すような構成になっている。すなわち、下部ケース２と上部ケース３とがパッキン４を介在して組み合わされて固定され、外装体としてのボックスが構成されている。下部ケース２の内部には、接点ブロック７がタッピングねじ８により固定されている。一方、上部ケース３には、操作ブロック９が上部ケース３の上面を貫通した状態で固形されており、この操作ブロック９は、両ケース２，３が相互に合体されてボックス１を構成した状態時に押圧杆１０の下端面が接点ブロック７の受圧体１１の先端面に接触して、接点ブロック７と共に一般的な押釦スイッチを構成する。
【０００３】
上記のスイッチ装置は、操作ブロック９の押釦部１２を内方に押し込むよう操作すると、操作体１３、押圧杆１０および受圧体１１を介して接触子１４が作動され、スイッチ切換動作が行われる。このスイッチ装置は、一般的な押釦スイッチ等のように取付パネル等の取付用の部材を必要とするものと異なり、ボックス１を所要箇所に固定することによって直接取り付けできる。このスイッチ装置は、上記のように所要箇所に直接取り付けできる利点を有しているから、主として、緊急時に非常停止のスイッチ操作を要する機器などにおけるスイッチ切換用の用途などに用いられる。
【０００４】
【発明が解決しようとする課題】
ところで、上記のボックス型スイッチ装置には、停止用や起動用などの押釦部１２の操作による結果である機能を表示する必要があり、従来では、上部ケース３の上面における操作ブロック９の近傍箇所に、機能を表示したラベルを貼着したり、或いは機能の表示を直接刻設したりしている。しかし、上記のような固定的な表示手段では、スイッチ回路の回路構成が変更されたり、異なるスイッチ機能のスイッチ装置、例えばセレクトスイッチを構成する操作ブロック９と接点ブロック７とに交換する場合などに対応できない不都合がある。
【０００５】
そこで、図５に示すように、種々の機能を表示した銘板１７を予め用意しておくとともに、これら銘板１７を択一的に操作ブロック９に取り付けるようにしている。この銘板１７は、機能の表示部の近傍箇所に固定用孔１７ａが形成されており、以下の手順で上部ケース３に取り付けられる。すなわち、銘板１７の固定用孔１７ａに操作ブロック９の操作本体１８における固定部１７ａを挿通させたのちに、固定部１７を上部ケース３の取付孔に挿通させるとともに、締付リング１９を上部ケース３の内部から固定部１７ａの外周面のねじ溝に螺合して締め付けることにより、銘板１７は、操作本体１８の固定部１８ａと保持部１８ｂの間の係止面により防水用のパッキン２０を介在して上部ケース３の上面に押し付けられて固定される。この銘板１７は、締付リング１９を外して操作ブロック９を上方に抜き出せば、必要に応じて所要の機能表示のものに容易に交換できる。
【０００６】
しかしながら、図４のスイッチ装置に対し銘板１７を取り付けた場合、図５に示すように、操作ブロック９は、銘板１７の厚みｄ分だけ上部ケース３の上面に対し上方に変位した位置に保持されることになり、押圧杆１０と受圧体１１との間に上記厚みｄに相当する隙間が生じる。そのため、接点ブロック７を作動させるのに必要な操作ブロック９の操作ストロークが大きくなってしまい、操作者が通常の押釦スイッチの場合と同様の感覚で押圧操作をした時に、ストローク不足となってスイッチの切換動作が行われ難い不都合が生じる。また、図５に明示するように、銘板１７は、パッキン２０の厚みＤ分だけ上部ケース３の上面に対し浮いた状態に固定されるので、この銘板１７と上部ケース３との隙間に異物などが挟まった場合には、操作者が手を触れた時に損傷するおそれがある。さらに、図５に示すように、銘板１７と上部ケース３との間はパッキン２０で防水されるが、銘板１７と操作本体１８との間は防水できない問題もある。
【０００７】
そこで本発明は、銘板の取り付けの有無にかかわらず、操作ブロックの操作ストロークが常に一定であって、且つ完全な防水構造を有するボックス型スイッチ装置を提供することを目的とするものである。
【０００８】
【課題を解決するための手段】
上記した目的を達成するために、本発明に係るボックス型スイッチ装置は、相互に組み合わされてボックスを形成する上部ケースおよび下部ケースと、前記下部ケースの内部に固定された接点ブロックと、前記上部ケースに貫通状態で固定されて前記接点ブロックに対しスイッチを構成するよう連接する操作ブロックとを備えたボックス型スイッチ装置において、一部に前記操作ブロックの操作による機能が表示され、且つ他部に所定の径の固定用孔が形成された銘板を備え、前記上部ケースにおける前記操作ブロックを貫通させる取付孔の孔縁周部に、前記銘板の厚みと略等しい高さで、且つ前記銘板の固定用孔を外周部に嵌め込むことのできる外径を有するリング形状のスペーサ用突部が外方に突設され、前記操作ブロックにおける前記サペーサ用突部に貫通した固定部とこの固定部よりも大径であって前記上部ケースの外部に露呈される保持部との間の係止面が前記固定部の外周面に嵌めた第１のパッキンを介在して前記スペーサ用突部の先端周面に押し付けられている構成とした。
【０００９】
上記ボックス型スイッチ装置によれば、銘板を取り付けない場合には、操作ブロックにおける保持部と固定部との間の係止面が第１のパッキンを介在してスペーサ用突部の先端周面に押し付けられて、操作ブロックが上部ケースに固定される。一方、銘板を取り付ける場合には、銘板の厚みとスペーサ用突部の高さとが略同じであることから、銘板は操作ブロックの上部ケースへの取り付けに対し何ら作用しない。したがって、操作ブロックの係止面は銘板が無い場合と同様に第１のパッキンを介在してスペーサ用突部の先端周面に押し付けられて、操作ブロックが上部ケースに固定される。すなわち、銘板の取り付けの有無にかかわらず、操作ブロックは上部ケースに対し一定の相対位置に固定されるから、操作ブロックの操作ストロークが常に一定となる。また、銘板の取り付けの有無にかかわらず、操作ブロックの係止面が常に第１のパッキンを介在してスペーサ用突部の先端周面に押し付けられるから、操作ブロックと上部ケースとを完全な防水構造で相互に固定できる。
【００１０】
また、上記発明において、前記上部ケースの上面に、前記スペーサ用突部の外周面に沿ったリング状の嵌合溝が形成され、この嵌合溝に、溝幅よりも僅かに小さく且つ溝の深さよりも僅かに高い断面形状を有する第２のパッキンが嵌め込まれているとともに、この第２のパッキンが、サペーサ用突部の外周部に嵌め込まれた前記銘板による押圧により変形されて全体が前記嵌合溝の内部に押し込まれている構成とすることが好ましい。
このような構成とすることにより、銘板と状ケースと間の防水をも完全に行える利点がある。
【００１１】
【発明の実施の形態】
以下、本発明の好ましい実施形態について図面を参照しながら詳述する。
図１および図２は何れも本発明の一実施形態に係るボックス型スイッチ装置を示し、図１（ａ）は銘板１７を取り付けた状態の平面図、同（ｂ）は（ａ）のＡ−Ａ線断面図、図２（ａ）は銘板１７を取り付けない状態の平面図、同（ｂ）は（ａ）のＢ−Ｂ線断面図である。これらの図において、図４および図５と同一若しくは同等のものには同一の符号を付してその説明を省略し、以下に、相違する構成について図３を参照しながら説明する。
【００１２】
図３（ａ），（ｂ）はそれぞれ図１および図２の要部のみを抽出して比較のために並べて示したものである。同図において、上部ケース２１には、操作ブロック９における操作本体１８の保持部１８ｂを挿通させる取付孔２２の孔縁周部に、リング形状のスペーサ用突部２３が外方に、つまり上方に突設されている。このスペーサ用突部２３は、同図（ｂ）に示す上部ケース２１の上面からの突出高さｈが、同図（ａ）に示す銘板１７の厚みｄと略等しくなるよう設定されているとともに、銘板１７の固定用孔１７ａを外周部に挿通させることのできる外径に設定されている。
【００１３】
また、上部ケース２１の上面に、上記スペーサ用突部２３の外周面に沿ってリング状の嵌合溝２４が形成されているとともに、この嵌合溝２４には、銘板１７を取り付ける場合のみパッキン２７が嵌め込まれる。図３（ｃ）は同図（ａ）における締付リング１９を締め付ける前の状態における要部の拡大図で、同図（ｄ）は図３（ａ）の要部の拡大図である。上記パッキン２７は、同図（ｃ）に明示するように、嵌合溝２４の溝幅よりも僅かに小さく、且つ嵌合溝２４の深さよりも僅かに高い断面形状を有している。なお、図３（ｅ）は同図（ｂ）の要部の拡大図である。
【００１４】
図１（ｂ）および図２（ｂ）において、図４および図５にも示した構成についての説明を補足する。押釦部１２を押圧操作すると、この押釦部１２が固定された操作体１３が復帰ばね２８の上方への付勢力に抗して操作本体１８の固定部１８ａに摺動しながら下動され、操作本体１３に連結された押圧杆１０が接圧ばね３０および復帰ばね２９の付勢力に抗して受圧体１１を押し下げることにより、受圧体１１によって接触子１４が下動してスイッチ切換動作が行われる。押釦部１２の押圧を解除すると、受圧体１１が復帰ばね２９により上限位置まで復帰するとともに、押圧杆１０が操作本体１３の固定部１８ａの係止面に当接する上限位置まで復帰する。何れの状態においても、押圧杆１０と受圧体１１との各々の対向面が接触している。
【００１５】
なお、操作本体１８の固定部１８ａの外周面にはねじ溝３１が形成されており、操作ブロック９は、固定部１８ａを上部ケース２１の取付孔２２に外部から挿通し、係止面１８ｃをパッキンン２０を介在してスペーサ用突部２３の先端周面に当てがったのちに、上部ケース２１の内部から締付リング１９を固定部１８ａのねじ溝３１に螺合して締め付けることにより、上部ケース２１に固定される。したがって、操作ブロック９が上部ケース２１に一旦固定されると、操作ブロック９の操作本体１８と上部ケース２１との相対位置はスイッチ切換動作などに拘わらず常に変わらない。操作体１３および押圧杆１０は、押釦部１２を押圧操作しない状態において操作本体１８により所定位置に保持される。
【００１６】
上記のボックス型スイッチ装置において、銘板１７を取り付けない場合には、図３（ｂ），（ｅ）に示すように、締付リング１９を締め付けることにより、操作ブロック９における操作本体１８の保持部１８ｂと固定部１８ａとの間の係止面１８ｃがパッキン２０を介在してスペーサ用突部２３の先端周面に押し付けられた状態で、操作ブロック９が上部ケース２１に固定される。このとき、図２（ｂ）に示すように、操作ブロック９の押圧杆１０が接点ブロック７の受圧体１１に接触して、操作ブロック９が所定の操作ストロークで接点ブロック７を切換操作できるよう設定されているものとする。ここで、操作ブロック９の係止面１８ｃがパッキン２０を介在してスペーサ用突部２３の先端周面に押し付けらているから、操作ブロック９と上部ケース２１とは完全な防水構造で相互に固定される。
【００１７】
一方、銘板１７を取り付ける場合、図３（ｃ）に示すように、嵌合溝２４にパッキン２７を嵌め込む。ここで、締付リング１９を締め付ける前は、パッキン２７の高さが嵌合溝２４の深さよりも僅かに大きいので、その差ｃ分だけ銘板１７がスペーサ用突部２３の先端より上方に突出している。つぎに、締付リング１９を締め付けて操作ブロック９を上部ケース２１に固定すると、銘板１７が上記の差ｃ分だけ係止面１８ｃにより押し下げられ、その押し下げられる銘板１７によりパッキン２７が押圧されて変形し、パッキン２７の全体が嵌合溝２４の内部に強制的に押し込まれる。それにより、操作ブロック９の係止面１８ｃとスペーサ用突部２３との間が、係止面１８ｃの押圧力を受けてスペーサ用突部２３に押し付けられるパッキン２０により完全な防水構造になるとともに、銘板１７と上部ケース２１との間が、変形されたパッキン２７の復元力により完全な防水構造となる。
【００１８】
すなわち、図３（ｄ）と同図（ｅ）との比較から明らかなように、銘板１７の取り付けの有無にかかわらず、操作ブロック９の係止面１８ｃが常にパッキン２０を介在してスペーサ用突部２３の先端周面に押し付けられるから、操作ブロック９と上部ケース２１とは常に完全な防水構造で相互に固定できる。銘板１７を取り付ける場合には、上記の防水構造に加えて、銘板１７と上部ケース２１との間も完全な防水構造とすることができる。
【００１９】
また、スペーサ用突部２３の高さｈが銘板１７の厚みｄと略同じであることから、締付リング１９を締め付けが終了した時点では、スペーサ用突部２３の先端と銘板１７の上面とが面一となる。すなわち、銘板１７は操作ブロック９の上部ケース２１への取り付けに際して何ら邪魔にならない。したがって、操作ブロック９の係止面１８ｃは銘板１７が無い場合と同様にパッキン２０を介在してスペーサ用突部２３の先端周面に押し付けられて、操作ブロックが上部ケースに固定される。その結果、図３（ａ）と同図（ｂ）との比較から明らかなように、銘板の取り付けの有無にかかわらず、操作ブロック９は上部ケース２１に対し一定の相対位置に固定されるから、図１（ｂ）および図２（ｂ）にそれぞれ明示するように、押圧杆１０の下端が受圧体１１の上端に常に接触しており、操作ブロック９の操作ストロークが常に一定となる。
【００２０】
なお、上記の実施の形態では、操作ブロック９と接点ブロック７とにより押釦スイッチを構成する場合について説明したが、その他のスイッチ、例えばセレクトスイッチなどを構成する場合においても、銘板の取り付けの有無にかかわらず押圧杆１０の下端が受圧体１１の上端に常に接触した状態に保持されることから、上述と同様の効果を得ることができる。また、単一のボックス１に操作ブロック９と接点ブロック７とを組合せたスイッチを複数組設ける構成とするもできるのは勿論である。
【００２１】
【発明の効果】
以上のように本発明のボックス型スイッチ装置によれば、上部ケースにおける操作ブロックを貫通させて固定する取付孔の孔縁周部に、銘板の厚みと略等しい高さで、且つ銘板の固定用孔を外周部に嵌め込むことのできる外径を有するリング形状のスペーサ用突部を外方に突設した構成としたので、銘板の取り付けの有無にかかわらず、操作ブロックを上部ケースに対し一定の相対位置に固定することができるから、操作ブロックの操作ストロークが常に一定となる。そのため、常に安定したスイッチ切換操作を行うことができる。また、銘板の取り付けの有無にかかわらず、操作ブロックの係止面が常に第１のパッキンを介在してスペーサ用突部の先端周面に押し付けられるから、操作ブロックと上部ケースとを完全な防水構造で相互に固定できる。
【００２２】
また、上部ケースの上面に、スペーサ用突部の外周面に沿って凹設されたリング状の嵌合溝を形成して、この嵌合溝に溝幅よりも僅かに小さく且つ溝の深さよりも僅かに高い断面形状を有するパッキンを嵌め込み、このパッキンをサペーサ用突部の外周面に嵌め込まれた銘板による押圧により変形させてその全体を嵌合溝内に押し込む構成とすれば、銘板と上部ケースと間の防水をも完全に行うことができる。
【図面の簡単な説明】
【図１】本発明の一実施形態に係るボックス型スイッチ装置の銘板を取り付けた場合を示し、（ａ）は平面図、（ｂ）は（ａ）のＡ−Ａ線断面図である。
【図２】同上のボックス型スイッチ装置の銘板を取り付けない場合を示し、（ａ）は平面図、（ｂ）は（ａ）のＢ−Ｂ線断面図である。
【図３】（ａ），（ｂ）は図１（ｂ）および図２（ｂ）のそれぞれの要部を比較のために抽出して示した一部切断正面図、（ｃ）は締付リングを締め付ける前の状態を示す（ａ）の要部の拡大図、（ｄ）は締付リングを締め付けた後の状態を示す（ａ）の要部の拡大図、（ｅ）は（ｂ）の要部の拡大図である。
【図４】従来のボックス型スイッチ装置を示す縦断面図である。
【図５】同上スイッチ装置の銘板を取り付けた状態の縦断面図である。
【符号の説明】
１  ボックス
２  下部ケース
７  接点ブロック
９  操作ブロック
１７  銘板
１７ａ  固定用孔
１８ａ  固定部
１８ｂ  保持部
１８ｃ  係止面
２０  第１のパッキン
２１  上部ケース
２２  取付孔
２３  スペーサ用突部
２７  第２のパッキン
【図１】
0003725922.tif 000002
【図２】
0003725922.tif 000003
【図３】
0003725922.tif 000004
【図４】
0003725922.tif 000005
【図５】
0003725922.tif 000006